(57)【要約】      （修正有）【課題】襠部を備えるキャリーケースの使用者が、襠部拡張用ジッパのスライダと、シェル開閉用ジッパのスライダとを間違えて操作してしまうことのないようにするキャリーケースを提供する。【解決手段】キャリーケース１であって、該キャリーケース１の蓋側シェル２及び身側シェル４と、蓋側シェル２と身側シェル４との間に設けられたシェル開閉用ジッパ２２と、蓋側シェルと身側シェルとの間に設けられた襠部２０と、襠部２０を拡張・縮小させるための襠部拡張用ジッパ１８と、を備え、襠部拡張用ジッパ１８の係合が解除されることにより露出する襠部２０の所定の位置に、シェル開閉用ジッパ２２が配置されている。【選択図】図１
0003225478.tif 000002
【実用新案登録請求の範囲】
【請求項１】
キャリーケースであって、
該キャリーケースの蓋側シェル及び身側シェルと、
上記蓋側シェルと上記身側シェルとの間に設けられたシェル開閉用ジッパと、
上記蓋側シェルと身側シェルとの間に設けられた襠部と、
上記襠部を拡張・縮小させるための襠部拡張用ジッパと、
を備え、
上記襠部拡張用ジッパの係合が解除されることにより露出する上記襠部の所定の位置に、上記シェル開閉用ジッパが配置されていることを特徴とする、キャリーケース。
【請求項２】
上記襠部の所定の位置は、上記襠部拡張用ジッパを構成する２つのエレメントのうちの一方のエレメントより内方の位置であることを特徴とする、請求項１に記載のキャリーケース。
【請求項３】
該キャリーケースに設けられた施錠機構部に、上記シェル開閉用ジッパのスライダ引手と上記襠部拡張用ジッパのスライダ引手とのいずれも施錠することができるように構成された錠穴を有することを特徴とする、請求項１又は請求項２に記載のキャリーケース。
【請求項４】
該キャリーケースは、上記蓋側シェルの外面において開閉可能となるように構成された蓋体をさらに備え、
上記蓋体が開かれたときにその開口を通して該キャリーケース内の収納室とアクセスできるように構成されていることを特徴とする、請求項１〜３のいずれかに記載のキャリーケース。
【請求項５】
該キャリーケースは、上記身側シェルの外面において開閉可能となるように構成された蓋体をさらに備え、
上記蓋体が開かれたときにその開口を通して該キャリーケース内の収納室とアクセスできるように構成されていることを特徴とする、請求項１〜３のいずれかに記載のキャリーケース。
【考案の詳細な説明】
【技術分野】
【０００１】
本考案は、襠（まち）部を備えるキャリーケースに関し、詳しくは、身側シェルに対して蓋側シェルを開閉するためのシェル開閉用ジッパが、襠部を拡張するための襠部拡張用ジッパよりも内方に設けられているキャリーケースに関する。
【背景技術】
【０００２】
硬質なシェルを備えるキャリーケースには、旅行や出張などの用途に応じて、小型のものから大型のものまで様々な型式のものがあり、シェル間に拡張可能な襠（まち）部を備えるキャリーケースもある。
【０００３】
その襠部を備えるキャリーケースには、襠部を拡張させるための襠部拡張用ジッパと、キャリーケースの身側シェルに対して蓋側シェルを開閉するためのシェル開閉用ジッパと、の２種類のジッパが隣接して配置されている。よって、その襠部を備えるキャリーケースの使用者は、襠部拡張用ジッパのスライダと、シェル開閉用ジッパのスライダとを間違えて操作してしまうことがある。
【先行技術文献】
【特許文献】
【０００４】
【特許文献１】実用新案登録第３２０６０１２号公報
【考案の概要】
【考案が解決しようとする課題】
【０００５】
襠部を備えるキャリーケースの使用者が、襠部拡張用ジッパのスライダと、シェル開閉用ジッパのスライダとを間違えて操作してしまうことのないようにする。
【０００６】
また、混み合った電車に乗る際などに、シェル開閉用ジッパを目立たないように隠すことができれば、悪意ある乗客によってシェル開閉用ジッパが勝手に開けられてキャリーケース内の荷物が抜き取られてしまうことの心配が少ない。
【課題を解決するための手段】
【０００７】
本考案のキャリーケースは、該キャリーケースの蓋側シェル及び身側シェルと、蓋側シェルと身側シェルとの間に設けられたシェル開閉用ジッパと、蓋側シェルと身側シェルとの間に設けられた襠部と、襠部を拡張・縮小させるための襠部拡張用ジッパと、を備え、襠部拡張用ジッパの係合が解除されることにより露出する襠部の所定の位置に、シェル開閉用ジッパが配置されていることを特徴とする。
【０００８】
一実施例においては、襠部の所定の位置は、襠部拡張用ジッパを構成する２つのエレメントのうちの一方のエレメントより内方の位置である。
【０００９】
さらには、該キャリーケースに設けられた施錠機構部に、上記シェル開閉用ジッパのスライダ引手と上記襠部拡張用ジッパのスライダ引手とのいずれも施錠することができるように構成された錠穴を有することを特徴とする。
【００１０】
さらなる実施例においては、該キャリーケースは、蓋側シェルの外面において開閉可能となるように構成された蓋体をさらに備え、蓋体が開かれたときにその開口を通して該キャリーケース内の収納室にアクセスできるように構成されている。
【００１１】
さらなる実施例においては、該キャリーケースは、身側シェルの外面において開閉可能となるように構成された蓋体をさらに備え、蓋体が開かれたときにその開口を通して該キャリーケース内の収納室にアクセスできるように構成されている。
【図面の簡単な説明】
【００１２】
【図１】本考案のキャリーケースを示す図。
【図２】キャリーケースの断面を示す図。
【図３】キャリーケースの使用方法を示す図。
【図４】キャリーケースの一実施例の斜視図。
【図５】キャリーケースの蓋側シェルが開いている状態を示す図。
【図６】キャリーケースの蓋側シェルの蓋体が開いている状態を示す図。
【図７】蓋体が開き、さらに内装材２６が折り返されている状態を示す図。
【考案を実施するための形態】
【００１３】
本考案のキャリーケースについて、添付の図面を参照しつつ説明する。
【００１４】
図１は、本考案の一実施例におけるキャリーケース１を示す。キャリーケース１は概して、蓋側シェル２、身側シェル４、キャリーハンドル６、複数のキャスタ８、持ち手１０、及び施錠機構部（ＴＳＡロック部）１２を備える。
【００１５】
さらに、キャリーケース１の蓋側シェル２の外面に、蓋体１４が設けられている。この蓋体１４は、蓋体開閉用ジッパ１６を介して開閉可能となるように取り付けられている。蓋体開閉用ジッパ１６は、一対のエレメント１６２，１６４及びスライダ１６６，１６６’からなる。スライダ１６６，１６６’のスライダ引手（ファスナートップ）は、施錠機構部１２の錠穴に係着されている。
【００１６】
図１にさらに示されるように、蓋側シェル２と身側シェル４との間において拡張可能に構成された襠部２０及び襠部拡張用ジッパ１８が設けられている。襠部拡張用ジッパ１８は、一対のエレメント１８２，１８４及びスライダ１８６，１８６’からなる。スライダ１８６，１８６’のスライダ引手（ファスナートップ）も、施錠機構部１２の錠穴に係着可能となるように構成されている。
【００１７】
図１（ａ）は、襠部２０が閉じているときのキャリーケース１を示す。キャリーケース１の使用者が身側シェル４に対して蓋側シェル２を開けるためには、施錠機構部１２に施錠された襠部拡張用ジッパ１８のスライダ１８６，１８６’を解錠し、該スライダ１８６，１８６’を開操作する。そして、襠部２０を構成している布を延ばす。すると、蓋側シェル２と身側シェル４との間において襠部２０が拡張し、キャリーケース１のキャパシティ（収容能力）が増大する。
【００１８】
襠部２０が拡張すると、図１（ｂ）に示されるように、身側シェル４に対して蓋側シェル２を開閉するために使用されるシェル開閉用ジッパ２２が露出する。使用者がシェル開閉用ジッパ２２のスライダ２２６，２２６’を開操作することにより、身側シェル４に対して蓋側シェル２を開けることができる。
【００１９】
図２（ａ）は、キャリーケース１の襠部２０が閉じているときを示す断面図である。該キャリーケース１において、閉じている襠部拡張用ジッパ１８よりも内方に、シェル開閉用ジッパ２２が設けられている。
【００２０】
図２（ｂ）は、キャリーケース１の襠部２０が拡張したときを示す断面図である。使用者が襠部拡張用ジッパ１８を解除すると、襠部２０に設けられたシェル開閉用ジッパ２２に外方からアクセス可能となり、このシェル開閉用ジッパ２２のスライダ２２６’を操作することができるようになる。
【００２１】
図２（ｃ）に示される他の実施例においては、襠部拡張用ジッパ１８を構成する２つのエレメント１８２，１８４のうちの一方のエレメント１８２の陰に隠れる位置（内方となる位置）に、シェル開閉用ジッパ２２が設けられている。すなわち、シェル開閉用ジッパ２２のスライダ２２６’が外方から視認しにくくされ、他人に容易に開けられてしまわないよう防犯上の対策がとられている。
【００２２】
図３は、キャリーケース１の使用方法の一例を説明するための図である。使用方法の一例として、キャリーケース１の使用者は、襠部拡張用ジッパ１８の係合を解除させておき、襠部２０に設けられたシェル開閉用ジッパ２２のスライダ２２６，２２６’を常に露出させた状態で使用するとよい。そうすれば、キャリーケース１のシェル間を開閉する際に、そのつど２種類のジッパを操作する必要がない。この場合、使用者がキャリーケース１の収納室を施錠するために、図３に示されるように、シェル開閉用ジッパ２２のスライダ２２６，２２６’のスライダ引手（ファスナートップ）を施錠機構部（ＴＳＡロック部）１２の錠穴に係着させることができるように構成されているとよい。
【００２３】
図４は、本考案のキャリーケース１の斜視図を示す。キャリーケース１の他の使用方法として、キャリーケース１の使用者は、襠部２０に設けられたシェル開閉用ジッパ２２の係合を解除させておき、襠部拡張用ジッパ１８のスライダ１８６，１８６’のみを使用するとよい。この場合にも、キャリーケース１のシェル間を開閉する際に、そのつど２種類のジッパを操作する必要がない。この場合、使用者がキャリーケース１の収納室を施錠するために、施錠機構部（ＴＳＡロック部）１２の錠穴に襠部拡張用ジッパ１８のスライダ１８６，１８６’のスライダ引手（ファスナートップ）を係着させることができる。
【００２４】
図５においては、キャリーケース１の身側シェル４に対して蓋側シェル２が開いている。一実施例においては、蓋側シェル２及び身側シェル４の内側に、収納物（荷物）を保護するための内装材２４，２８がそれぞれ設けられている。
【００２５】
図６に示される実施例においては、キャリーケース１は、蓋側シェル２の外面において開閉可能となるように構成された蓋体１４を備え、蓋体１４が開かれたときにその開口を通して該キャリーケース１内の収納室にアクセスできるように構成されている。一実施例においては、蓋体１４に面する位置に配置された内装材２６に、メッシュ状ポケット３６が設けられている。また、蓋体１４の裏面に、ポケット３２やメッシュ状ポケット３４が設けられている。
【００２６】
図７においては、キャリーケース１の蓋側シェル２に設けられた蓋体１４が開き、さらに内装材２６が折り返されていることにより、キャリーケース１の身側シェル４の内側が露出している。
【００２７】
他の実施例においては、キャリーケース１は、身側シェル４の外面において開閉可能となるように構成された蓋体１４を備え、蓋体１４が開かれたときにその開口を通して該キャリーケース１内の収納室にアクセスできるように構成されている。
【００２８】
以上のように、本考案のキャリーケース１は、襠部拡張用ジッパを開けることにより露出する襠部にシェル開閉用ジッパが配置されており、襠部拡張用ジッパとシェル開閉用ジッパとを取り違えることなく操作することができるものである。また、本考案のキャリーケース１は、外方から視認しにくい位置にシェル開閉用ジッパが配置されているため、防犯上の対策がなされたものである。
【符号の説明】
【００２９】
１…キャリーケース
２…蓋側シェル
４…身側シェル
６…キャリーハンドル
８…キャスタ
１０…持ち手
１２…施錠機構部
１４…蓋体
１６…蓋体開閉用ジッパ
１８…拡張用ジッパ
２０…襠部
２２…シェル開閉用ジッパ
２４…内装材
２６…内装材
２８…内装材
３０…布具
３２…ポケット
３４…メッシュ状ポケット
３６…メッシュ状ポケット
１６２…エレメント
１６４…エレメント
１６６…スライダ
１６６’…スライダ
１８２…エレメント
１８４…エレメント
１８６…スライダ
１８６’…スライダ
２２２…エレメント
２２４…エレメント
２２６…スライダ
２２６’…スライダ
【図１】
0003225478.tif 000003
【図２】
0003225478.tif 000004
【図３】
0003225478.tif 000005
【図４】
0003225478.tif 000006
【図５】
0003225478.tif 000007
【図６】
0003225478.tif 000008
【図７】
0003225478.tif 000009